(57)【要約】【課題】測長ワイヤが切れた際、沈下したディスプレーサを容易に回収することができる、ディスプレーサ式液面計のディスプレーサ回収装置を提供する。【解決手段】貯蔵タンクにガイドパイプ１３を備え、バランス駆動機より巻き出す測長ワイヤ１１にディスプレーサ１２を取り付けたディスプレーサ式液面計の、ガイドパイプ１３の下端側にバスケット収納部２１を設け、バスケット収納部２１内に回収用バスケット２２を収納し、側長ワイヤ１１に取り付けられて回収用バスケット２２の保持及び／又は離脱を行うようにしたバスケット保持装置２５を備えている。回収用バスケット２２の開口部に折り返し部２２ｃが設けられている。バスケット保持装置２５はアーム２７と、アーム２７に回動可能に取り付けられた回動部材２８と、回動部材２８に設けられて折り返し部２２ｃに係合可能に設けられた係合爪２９と、を備えて構成されている。【選択図】図２
2011099743.tif 000002
【特許請求の範囲】
【請求項１】
貯蔵タンクの屋根部を貫通して該貯蔵タンク内で上下方向に延びるガイドパイプを備え、該ガイドパイプの上端側に取り付けられたバランス駆動機より巻き出す測長ワイヤの先端部にディスプレーサを取り付け、該ディスプレーサを、上記ガイドパイプの内側で上記測長ワイヤに作用する張力を基に貯蔵液体の液面に一定の吃水で配置させるときの、上記バランス駆動機からの測長ワイヤの巻き出している長さ寸法に基づいて、上記貯蔵タンク内の貯蔵液体の液位を計測するように構成されたディスプレーサ式液面計の、上記ガイドパイプの下端側にバスケット収納部を設け、該バスケット収納部内に回収用バスケットを収納し、さらに、上記バランス駆動機より巻き出す側長ワイヤに取り付けられて、上記回収用バスケットの保持及び／又は離脱を行うようにしたバスケット保持装置を備えてなり、
上記回収用バスケットの開口部に、内側へ鋭角に折り返してなる折り返し部が設けられ、
上記バスケット保持装置が、上記側長ワイヤに取り付けられる取付具と、該取付具に平面視放射状に連結された３本以上のアームと、該アームの下端部に一端側が回動可能に取り付けられた回動部材と、該回動部材の他端側に設けられて上記回収用バスケットの折り返し部に係合可能に設けられた係合爪と、を備えて構成されたことを特徴とするディスプレーサ式液面計のディスプレーサ回収装置。
【請求項２】
上記バスケット保持装置は、上記アームが上記取付具に対して平面視放射状に開いた状態から垂下して閉じた状態になるよう、回動可能に連結されていることを特徴とする請求項１記載のディスプレーサ式液面計のディスプレーサ回収装置。
【請求項３】
上記バスケット保持装置は、上記取付具に対して上記アームが平面視放射状に開いた状態で該アームに取り付けられることにより、該アームの開いた状態を保持する保持具を備えていることを特徴とする請求項２記載のディスプレーサ式液面計のディスプレーサ回収装置。
【請求項４】
上記バスケット収納部の内径を、上記ガイドパイプの上端部における貯蔵タンクの屋根貫通部の内径と同等か、もしくは、該屋根貫通部の内径よりも小径となるようにしたことを特徴とする請求項１〜３のいずれか一項に記載のディスプレーサ式液面計のディスプレーサ回収装置。
【請求項５】
上記ガイドパイプを、該ガイドパイプの上端部における貯蔵タンクの屋根貫通部の径が、該ガイドパイプの貯蔵タンク内に位置する部分の径よりも小径となる構成とし、かつ、該ガイドパイプの下端側に、上記バスケット収納部を、レデューサを介在させて設けるようにしたことを特徴とする請求項４記載のディスプレーサ式液面計のディスプレーサ回収装置。
【発明の詳細な説明】
【技術分野】
【０００１】
本発明は、貯蔵タンク内に貯蔵されている液体の液位を計測するために用いるディスプレーサ式液面計にて、ディスプレーサに接続してあるワイヤが切れた場合に、該ワイヤの切れたディスプレーサを回収するために用いる、ディスプレーサ式液面計のディスプレーサ回収装置に関する。
【背景技術】
【０００２】
ＬＮＧ（液化天然ガス）やＬＰＧ（液化石油ガス）、その他の液化ガスの貯蔵タンクや、各種液体の貯蔵タンクにおける液位（液面の位置）を計測するための液面計の一種として、例えば図７に示す構成のディスプレーサ式液面計が知られている（例えば、特許文献１参照）。
【０００３】
図７に示すディスプレーサ式液面計Ｉは、貯蔵タンク１の屋根部１ａの上側にバランス駆動機１０を設け、該バランス駆動機１０の図示しないワイヤドラムより巻き出して上記貯蔵タンク１内へ吊り下ろした測長ワイヤ１１の下端部（先端部）に、貯蔵タンク１内の貯蔵液体４よりも比重が大きいディスプレーサ１２を取り付けたものである。
【０００４】
このディスプレーサ式液面計Ｉにあっては、測長ワイヤ１１に吊り下げられたディスプレーサ１２が貯蔵タンク１内の貯蔵液体４中に部分的に浸ると、該ディスプレーサ１２に対して貯蔵液体４に浸っている部分の体積に応じた浮力が作用するようになる。そのため、バランス駆動機１０よりディスプレーサ１２を吊り下げている測長ワイヤ１１に作用する張力が、ディスプレーサ１２が空中に吊り下げられているときに対して変化するようになっている。
【０００５】
したがって、ディスプレーサ１２の吃水が一定となるように測長ワイヤ１１に作用する張力を保持した状態で、バランス駆動機１０により測長ワイヤ１１の巻き出し、巻き取りを行うことにより、ディスプレーサ１２を、貯蔵液体４の液面に正確に追従させて昇降させることができる。よって、このようにしてディスプレーサ１２を貯蔵液体４の液面に追従させて昇降させる際に、バランス駆動機１０より巻き出している測長ワイヤ１１の長さ寸法を基に、貯蔵タンク１内の貯蔵液体４の液位を計測することができるようになっている。
【０００６】
また、このディスプレーサ式液面計Ｉでは、貯蔵タンク１内への貯蔵液体４の受け入れ等に伴って該貯蔵タンク１内の貯蔵液体４が波立つときにも、ディスプレーサ１２に対する影響を回避して貯蔵液体４の液位を計測できるようにするため、ガイドパイプ１３が、貯蔵タンク１の屋根部１ａを貫通して該貯蔵タンク１の底部近傍にまで延びて、配設されている。そして、このガイドパイプ１３の内側（内部）に、ディスプレーサ１２を配置している。なお、このガイドパイプ１３には、上下方向の所要間隔個所に導孔１４が形成されており、これによってガイドパイプ１３の内外において、貯蔵液体４の液面が同一になっている。
【０００７】
また、ガイドパイプ１３の上端部には、メンテナンス用マンホール１６を備えてなるキャリブレーションチャンバ１５が、フルボアのゲート弁１７を介して取り付けられており、該キャリブレーションチャンバ１５の上端部のフランジ１５ａには、バランス駆動機１０が取り付けられている。このバランス駆動機１０より巻き出す測長ワイヤ１１は、キャリブレーションチャンバ１５とゲート弁１７とを通って、ガイドパイプ１３の内側に配置されたディスプレーサ１２に接続している。
【０００８】
ところで、上記のディスプレーサ式液面計Ｉにあっては、測長ワイヤ１１が不測の事態で切れると、ディスプレーサ１２の変位が検出できなくなり、貯蔵液体４の液位が計測不能になってしまう。また、このように測長ワイヤ１１が切れると、ディスプレーサ１２がガイドパイプ１３の底部にまで沈下してしまう。すると、このディスプレーサ式液面計Ｉでは、沈下したディスプレーサ１２を回収する手段が設けられていないため、ディスプレーサ１２を回収することができなくなってしまう。
【０００９】
なお、このディスプレーサ式液面計Ｉが、ＬＰＧの貯蔵タンク１のように定期的に開放点検を行うようにしてある貯蔵タンクに設けられている場合には、測長ワイヤ１１が不測の事態により切れたとしても、次の開放点検時に上記ガイドパイプ１３の底部より上記測長ワイヤ１１の切れたディスプレーサ１２を回収することが可能である。よって、次の開放点検までの期間が長いときには、上記測長ワイヤ１１が切れることによって沈下したディスプレーサ１２は、次回の開放点検までガイドパイプ１３の底部に放置しておき、上記切れた測長ワイヤ１１をそのまま又は交換した後に新たなディスプレーサ１２に接続することで、ディスプレーサ式液面計Ｉの機能を回復させて運用を継続させるようにすることが可能である。
【００１０】
しかし、このディスプレーサ式液面計ＩをＬＮＧの貯蔵タンクに設ける場合には、定期的な開放点検を行わないため、万一、不測の事態によって測長ワイヤ１１が切れると、ガイドパイプ１３の底部まで沈下するディスプレーサ１２を回収する機会がないことになってしまう。さらに、ガイドパイプ１３の底部に沈下したディスプレーサ１２が長期に亘り放置されると、ディスプレーサ１２側に残った測長ワイヤ１１の切れ端が、ＬＮＧの貯蔵タンクよりＬＮＧの払い出しを行うためのポンプへ次第に吸引され、この払い出しポンプに不具合が生じる懸念もある。
【００１１】
このような背景のもとに、上記のガイドパイプ１３を有したディスプレーサ式液面計Ｉにおいて、沈下したディスプレーサ１２を回収する手段を備えてなる、ディスプレーサ回収装置が提案されている（特許文献２参照）。このディスプレーサ回収装置は、ガイドパイプの下端側にバスケット収納部を設け、このバスケット収納部内に回収用バスケットを収納し、また、この回収用バスケットの保持及び離脱を行うことができるバスケット保持装置を備えたものである。
【先行技術文献】
【特許文献】
【００１２】
【特許文献１】実開平７−２０５３１号公報
【特許文献２】特開２００９−１４４７１号公報
【発明の概要】
【発明が解決しようとする課題】
【００１３】
しかしながら、上記のディスプレーサ回収装置にあっては、そのバスケット保持装置が、吊り下げ用のワイヤと、上記回収用バスケットに係止してこれを引き上げるフックを動作させる動作用のワイヤと、を必要としているため、バランス駆動機に直接取り付けることができず、専用の仮設ウインチを必要としている。したがって、実際に回収用バスケットを回収する際には、一旦バランス駆動機を取り外し、仮設ウインチを取り付けることになる。しかし、このような仮設ウインチへの交換は非常に作業が繁雑であり、その改善が望まれている。
【００１４】
本発明は上記事情に鑑みてなされたもので、その目的とするところは、ディスプレーサを接続している測長ワイヤが切れた際、バランス駆動機から仮設ウインチへの交換を必要とすることなく、沈下したディスプレーサを容易に回収することができる、ディスプレーサ式液面計のディスプレーサ回収装置を提供することにある。
【課題を解決するための手段】
【００１５】
本発明のディスプレーサ式液面計のディスプレーサ回収装置は、貯蔵タンクの屋根部を貫通して該貯蔵タンク内で上下方向に延びるガイドパイプを備え、該ガイドパイプの上端側に取り付けられたバランス駆動機より巻き出す測長ワイヤの先端部にディスプレーサを取り付け、該ディスプレーサを、上記ガイドパイプの内側で上記測長ワイヤに作用する張力を基に貯蔵液体の液面に一定の吃水で配置させるときの、上記バランス駆動機からの測長ワイヤの巻き出している長さ寸法に基づいて、上記貯蔵タンク内の貯蔵液体の液位を計測するように構成されたディスプレーサ式液面計の、上記ガイドパイプの下端側にバスケット収納部を設け、該バスケット収納部内に回収用バスケットを収納し、さらに、上記バランス駆動機より巻き出す側長ワイヤに取り付けられて、上記回収用バスケットの保持及び／又は離脱を行うようにしたバスケット保持装置を備えてなり、
上記回収用バスケットの開口部に、内側へ鋭角に折り返してなる折り返し部が設けられ、
上記バスケット保持装置が、上記側長ワイヤに取り付けられる取付具と、該取付具に平面視放射状に連結された３本以上のアームと、該アームの下端部に一端側が回動可能に取り付けられた回動部材と、該回動部材の他端側に設けられて上記回収用バスケットの折り返し部に係合可能に設けられた係合爪と、を備えて構成されたことを特徴としている。
【００１６】
このディスプレーサ回収装置によれば、バスケット保持装置を、バランス駆動機より巻き出す側長ワイヤに取り付けられる取付具と、該取付具に平面視放射状に連結された３本以上のアームと、該アームの下端部に一端側が回動可能に取り付けられた回動部材と、該回動部材の他端側に設けられて上記折り返し部に係合可能に設けられた係合爪と、を備えて構成しているので、不測に測長ワイヤが切れてディスプレーサがガイドパイプの底部にまで沈下した際、バランス駆動機を仮設ウインチに交換することなく、その側長ワイヤにバスケット保持装置を取り付け、このバスケット保持装置によって回収用バスケットを吊り上げることにより、ディスプレーサを回収することが可能になる。
すなわち、不測に測長ワイヤが切れてディスプレーサがガイドパイプの底部にまで沈下した際、この沈下したディスプレーサは、ガイドパイプのバスケット収納部に収納された回収用バスケット内に収容される。したがって、バランス駆動機を操作してこれに吊り下げたバスケット保持装置を下降させ、係合爪を回収用バスケットの折り返し部に係止させることにより、その後バスケット保持装置を上昇させることで回収用バスケットに収容されたディスプレーサを回収することができる。
【００１７】
また、上記ディスプレーサ回収装置において、上記バスケット保持装置は、上記アームが上記取付具に対して平面視放射状に開いた状態から垂下して閉じた状態になるよう、回動可能に連結されているのが好ましい。
このようにすれば、ディスプレーサを回収するために回収用バスケットを引き上げた後、この回収用バスケットを再度ガイドパイプのバスケット収納部に収納する際、バランス駆動機を操作してこれに吊り下げたバスケット保持装置を下降させ、バスケット収納部内に位置させる。そして、回収用バスケットの折り返し部に係止させた係合爪を該折り返し部よりさらに下方に位置させることにより、該係合爪の折り返し部への係止を解除することができる。このように係止状態が解除すると、アームは取付具に対して回動可能になっているので、その自重によって取付具に対し垂下して閉じた状態になる。よって、このようにアームが閉じたバスケット保持装置を再度上昇させることにより、このバスケット保持装置を回収用バスケットに干渉されることなく、吊り上げることができる。
【００１８】
また、上記ディスプレーサ回収装置において、上記バスケット保持装置は、上記取付具に対して上記アームが平面視放射状に開いた状態で該アームに取り付けられることにより、該アームの開いた状態を保持する保持具を備えているのが好ましい。
このようにすれば、回収用バスケットを吊り上げることによって沈下したディスプレーサを回収する際、予めアームを平面視放射状に開いた状態で該アームに保持具を取り付けておくことにより、前述したように該アームを備えたバスケット保持装置によって回収用バスケットを容易に吊り上げることができる。
【００１９】
また、上記ディスプレーサ回収装置においては、上記バスケット収納部の内径を、上記ガイドパイプの上端部における貯蔵タンクの屋根貫通部の内径と同等か、もしくは、該屋根貫通部の内径よりも小径となるようにしておくのが好ましい。
このようにすれば、バスケット収納部に収納する回収用バスケットを、上記ガイドパイプの屋根貫通部に確実に通過させることができ、したがって測長ワイヤが切れたディスプレーサの回収がより確実で容易になる。 
【００２０】
また、上記ディスプレーサ回収装置においては、上記ガイドパイプを、該ガイドパイプの上端部における貯蔵タンクの屋根貫通部の径が、該ガイドパイプの貯蔵タンク内に位置する部分の径よりも小径となる構成とし、かつ、該ガイドパイプの下端側に、上記バスケット収納部を、レデューサを介在させて設けるようにするのが好ましい。
このようにすれば、測長ワイヤが切れたディスプレーサが、たとえ該ガイドパイプの軸心部よりずれた位置に沈下しても、上記レデューサによりガイドされることで、バスケット収納部の内側の回収用バスケット内に確実に収容されるようになる。 
【発明の効果】
【００２１】
本発明のディスプレーサ式液面計のディスプレーサ回収装置にあっては、測長ワイヤが切れてディスプレーサがガイドパイプの底部にまで沈下した際、バランス駆動機を仮設ウインチへの交換することなく、その側長ワイヤにバスケット保持装置を取り付け、このバスケット保持装置によって回収用バスケットを吊り上げることにより、ディスプレーサを回収することができるようにしたので、従来のようにディスプレーサを回収する際、一旦バランス駆動機を取り外し、その後仮設ウインチを取り付けるといった繁雑な作業が不要になり、作業性を格段に向上することができる。また、ディスプレーサの回収用に、バランス駆動機とは別に仮設ウインチを備える必要が無くなり、したがって、仮設ウインチの保守管理が不要になってその分のコストを削減することができる。さらに、仮設ウインチに要する設備費も不要にして、ディスプレーサ回収装置全体の設備費を安価にすることができる。
【図面の簡単な説明】
【００２２】
【図１】本発明のディスプレーサ式液面計のディスプレーサ回収装置の一実施形態を示す図であって、（ａ）はディスプレーサ液面計の通常運用状態を示す要部側断面図、（ｂ）はディスプレーサの回収を行う状態を示す要部側断面図である。
【図２】図１の装置における回収用バスケットとバスケット保持装置とを拡大して示す要部拡大断面図である。
【図３】バスケット保持装置の概略構成を示す図であって、（ａ）は側面図、（ｂ）は平面図、（ｃ）は保持具が無い状態の側面図、（ｄ）は保持具を示す斜視図である。
【図４】（ａ）〜（ｄ）はバスケット保持装置における係合爪の動作を示す図である。
【図５】バスケット保持装置によって回収用バスケットを吊り上げている状態を示す要部側断面図である。
【図６】バスケット保持装置によって回収用バスケットを吊り下げている状態を示す要部側断面図である。
【図７】従来のディスプレーサ式液面計のディスプレーサ回収装置の一例の概略構成を示す要部側断面図である。
【発明を実施するための形態】
【００２３】
以下、本発明のディスプレーサ式液面計のディスプレーサ回収装置を詳しく説明する。
図１（ａ）、（ｂ）、図２は本発明のディスプレーサ式液面計のディスプレーサ回収装置の一実施形態を示す図であり、これらの図において符号１は貯蔵タンクである。この貯蔵タンク１は、貯蔵液体としてＬＮＧ（液化天然ガス）４ａを貯蔵するもので、図７に示した例と同様に、ガイドパイプ１３を備えた形式のディスプレーサ式液面計Ｉを備えたものである。なお、図１（ａ）、（ｂ）、図２において、図７と同じ構成要素には同一の符号を付し、その説明を省略する。
【００２４】
ガイドパイプ１３の下端部には、図１（ａ）に示すように、バスケット収納部２１が形成され、該バスケット収納部２１には、ディスプレーサ１２の回収用バスケット２２が収納されている。そして、このディスプレーサ式液面計Ｉには、バランス駆動機１０の測長ワイヤ１１が切れてディスプレーサ１２がガイドパイプ１３の底部にまで沈下した際、図１（ｂ）に示すように回収用バスケット２２を吊り上げることでディスプレーサ１２を回収するようにした、バスケット保持装置２５が備えられている。
【００２５】
ガイドパイプ１３は、その上端部における貯蔵タンク１の屋根部１ａを貫通する部分（以下、屋根貫通部と云う）１３ａが、比較的細径に形成されており、一方、貯蔵タンク１内に位置する部分１３ｂが、屋根貫通部１３ａよりも太径となるように形成されている。これにより、ガイドパイプ１３の屋根貫通部１３ａでは、外部から貯蔵タンク１内への入熱が抑えられ、さらに、該屋根貫通部１３ａの上側に連結するゲート弁１７として、口径の小さなものが用いられるようになっている。
【００２６】
なお、上記ガイドパイプ１３における屋根貫通部１３ａと貯蔵タンク１内に位置する部分１３ｂとの間には、上端側より下端側へ向けて徐々に拡径するテーパ部１３ｃが設けられており、これによってガイドパイプ１３の周壁面に、上下方向の段差が形成されないようになっている。
【００２７】
また、上記ガイドパイプ１３の下端側には、上記屋根貫通部１３ａと同径か、もしくは、やや小さい径で、かつ回収用バスケット２２の高さ寸法に対応した深さ寸法を有するバスケット収納部２１が、レデューサ１９を介して一体に形成されている。レデューサ１９は、ガイドパイプ１３からバスケット収納部２１にかけて、漸次縮径してなるものである。バスケット収納部２１は、図２に示すように、その下端部に例えば十文字形状の底部（図示せず）を有したもので、その内部に、回収用バスケット２２を上方より挿入した状態で保持するようになっている。
【００２８】
上記回収用バスケット２２は、バスケット収納部２１の内径に対応した外径、すなわちこれより僅かに小さい外径を有し、かつ、バスケット収納部２１の高さにほぼ等しい高さ寸法を有した有底円筒状のものである。すなわち、この回収用バスケット２２は、円筒状の側壁２２ａの下端部に、例えばメッシュ状の底部２２ｂを取り付けたもので、これによってこの回収用バスケット２２内をＬＮＧ４ａが流通できるようにしたものである。
【００２９】
また、この回収用バスケット２２には、その側壁２２ａの上端部、すなわち回収用バスケット２２の開口部に、周方向の全周に亘って、内側へ鋭角に折り返してなる折り返し部２２ｃが設けられている。この折り返し部２２ｃは、上記レデューサ１９の内壁面よりなる斜面とほぼ面一になるよう、斜め下方に向かって傾斜したもので、後述するようにバスケット保持装置２５の係合爪２９が下方から係合するように、構成されたものである。
【００３０】
上記バスケット保持装置２５は、上記バランス駆動機１０により、側長ワイヤ１１を介して操作可能に構成されたもので、図３（ａ）に示すように、側長ワイヤ１１に取り付けられる円環状の吊環２６ａおよびこの吊環２６ａに連結された円筒状の取付筒２６ｂからなる取付具２６と、該取付具２６の取付筒２６ｂに平面視放射状に連結された３本のアーム２７と、該アーム２７のそれぞれの下端部に回動可能に取り付けられた回動部材２８と、該回動部材２８のそれぞれに設けられた係合爪２９と、を備えて構成されたものである。
【００３１】
３本のアーム２７は、取付筒２６ｂに対して平面視放射状に開いた状態から、垂下して閉じた状態になるよう、取付筒２６ｂに対して、上下方向に回動可能に連結されたものである。なお、これら３本のアーム２７は、取付筒２６ｂに対してその周方向に等間隔に配置されており、したがって図３（ｂ）の平面図に示すように、隣り合うアーム２７どうしのなす角度が、１２０°となるように平面視放射状に配置されている。このような構成により、３本のアーム２７は、後述するように回収用バスケット２２を吊り上げ、あるいは吊り下げた際、一方に傾くことなく、バランス良く吊ることができるようになっている。なお、このように回収用バスケット２２をバランス良く吊ることができれば、アーム２７は４本以上であってもよいのはもちろんである。
【００３２】
また、本実施形態では、図３（ａ）に示すようにアーム２７はアルミニウム等の軽量金属からなる３枚の細長い板体３０ａ、３０ｂ、３０ｃが、ピン等（図示せず）によって互いに回動可能に連結されて構成されており、したがって回動箇所が、取付筒２６ｂとこれに連結する板体３０ａとの間、この板体３０ａとこれの下端側に連結する板体３０ｂとの間、さらにこの板体３０ｂとこれの下端側に連結する板体３０ｃとの間の、３箇所になっている。よって、通常時には、これらアーム２７は図３（ｃ）中実線で示すように、その自重によって取付筒２６ｂから垂下するようになっている。
【００３３】
そこで、本実施形態では、図３（ａ）中二点鎖線で示すように、アーム２７が取付筒２６ｂに対して平面視放射状に開き、かつ所定角度で垂れ下がった状態のもとで、該アーム２７に着脱可能に取り付けられることにより、該アーム２７の開いた状態を保持する保持具３１が備えられている。この保持具３１は、図３（ｂ）に示す３本のアーム２７の平面形状に対応したＹ状のもので、図３（ｄ）に示したように、側面視略二等辺三角形状のもの、すなわち、略直角三角形状の板体３１ａを３枚、平面視Ｙ字状に連結して形成されたものである。このような構成によって保持具３１は、ネジ等によって３本のアーム２７に取り付け固定されることにより、これら３本のアーム２７を、図３（ａ）に示したように取付筒２６ｂに対して平面視放射状に開き、かつ所定角度で垂れ下がった状態に保持するようになっている。
【００３４】
また、上記回動部材２８は、ステンレス等の細長い板材、あるいは棒材からなるもので、その一端側がアーム２７を構成する３番目の板体３０ｃ、すなわち取付筒２６ｂから最も離れた板体３０ｃの下端部（取付筒２６ｂと反対の側の端部）に、回動可能に取り付けられたものである。
そして、この回動部材２８には、上記板体３０ｃと反対の側の他端部に、図４（ａ）に示すように係合爪２９が一体に取り付けられている。この係合爪２９は、略直角三角形状のもので、その上辺２９ａを上記回収用バスケット２２の折り返し部２２ｃに係合する係合辺とし、外側の斜辺２９ｂを、略円弧状に形成したものである。
【００３５】
また、上記３本のアーム２７は、図３（ａ）に示したように保持具３１によって平面視放射状に開き、かつ所定角度で垂れ下がった状態に保持された状態で、その外径、すなわち図３（ｂ）に示した平面形状における外径が、上記回収用バスケット２２の内径にほぼ等しくなるように形成されている。そして、上記回動部材２８は、図４（ａ）に示したように鉛直方向下方に垂れ下がった状態で、その平面視したときの径、すなわち３本のアーム２７に取り付けられた合計３つの回動部材２８を通る円の直径が、上記回収用バスケット２２の折り返し部２２ｃの内縁のなす内径にほぼ等しくなるように形成されている。
このような構成のもとに上記係合爪２９は、回動部材２８の回動動作により、回収用バスケット２２の折り返し部２２ｃに係脱可能に係合するようになっている。
【００３６】
図１（ａ）、（ｂ）に示すように、キャリブレーションチャンバ１５にはパージガス供給ライン４０と、ガス排出ライン４１とが接続されている。これにより、キャリブレーションチャンバ１５のメンテナンス用マンホール１６を開けるときには、ゲート弁１７を閉操作してキャリブレーションチャンバ１５を貯蔵タンク１内部雰囲気より切り離し、その後、該キャリブレーションチャンバ１５内に充満しているＬＮＧ４ａの気化ガスを、上記パージガス供給ライン４０より供給する窒素ガス等のパージガス４２によってガス排出ライン４１へパージさせることができるようになっている。
【００３７】
なお、上記貯蔵タンク１の貯蔵液体が−１６２℃の極低温を有するＬＮＧ４ａであるため、バスケット収納部２１、回収用バスケット２２、バスケット保持装置２５等、上記ＬＮＧ４ａに接する部材は、基本的にはステンレス製とされている。
【００３８】
以上の構成からなるディスプレーサ式液面計のディスプレーサ回収装置を使用する場合は、予め、図１（ａ）に示すように、ガイドパイプ１３の下端側のバスケット収納部２１に、回収用バスケット２２を収納させた状態としておく。なお、キャリブレーションチャンバ１５の上側にはバランス駆動機１０を取り付けた状態とし、この状態にて、図７に示したディスプレーサ式液面計Ｉと同様に、ガイドパイプ１３の内側で、ＬＮＧ４ａの液面に一定の吃水で配置させるディスプレーサ１２に接続してある測長ワイヤ１１のバランス駆動機１０からの巻き出し量に基づいて、上記貯蔵タンク１内のＬＮＧ４ａの液位を計測するようにする。
【００３９】
このようにしてディスプレーサ式液面計Ｉを稼働させている間、不測の事態によって測長ワイヤ１１が切れると、ディスプレーサ１２はガイドパイプ１３内で沈下し、バスケット収納部２１に収納されている回収用バスケット２２の内部に、収容されるようになる。その際、ガイドパイプ１３の下端部とバスケット収納部２１との間には、レデューサ１９が設けてあるので、ディスプレーサ１２が、たとえガイドパイプ１３内の軸心部より外れた位置を沈下した場合でも、このディスプレーサ１２は、レデューサ１９によってガイドされることで、バスケット収納部２１の内側の回収用バスケット２２内に確実に収容されるようになる。
【００４０】
一方、このようにして測長ワイヤ１１が切れると、バランス駆動機１０より巻き出している測長ワイヤ１１に、ディスプレーサ１２の重量による張力が作用しなくなるため、この張力の低下に基づいて、測長ワイヤ１１の切断が容易に検知される。
このように測長ワイヤ１１の切断が検知された場合は、まず、バランス駆動機１０より巻き出している測長ワイヤ１１を、すべてバランス駆動機１０側へ巻き上げる。
次に、ゲート弁１７を閉操作した後、上記キャリブレーションチャンバ１５内に充満しているＬＮＧ４ａの気化ガスをパージする。
【００４１】
次いで、メンテナンス用マンホール１６を開き、先に巻き上げた測長ワイヤ１１の下端部（先端部）にバスケット保持装置２５を取り付ける。ここで、バスケット保持装置２５としては、図３（ａ）中に二点鎖線で示したようにアーム２７に対して予め保持具３１を取り付けておき、これによって３本のアーム２７を、取付筒２６ｂに対して平面視放射状に開き、かつ所定角度で垂れ下がった状態に保持しておく。
【００４２】
このようにしてバスケット保持装置２５を取り付けたら、メンテナンス用マンホール１６を閉じ、さらにゲート弁１７を開操作した後、バランス駆動機１０より再度測長ワイヤ１１を巻き出し、バスケット保持装置２５をガイドパイプ１３の下端部の回収用バスケット２２の内側まで下降させる。すると、３本のアーム２７はその外径が回収用バスケット２２の内径にほぼ等しくなり、さらに、回動部材２８は、その外径が回収用バスケット２２の折り返し部２２ｃの内縁のなす内径にほぼ等しくなっているので、これら回動部材２８に取り付けられた係合爪２９は、図２に示すように回動部材２８の回動動作によって回収用バスケット２２の折り返し部２２ｃに係合する。
【００４３】
すなわち、バスケット保持装置２５を回収用バスケット２２の内側まで下降させると、図４（ｂ）に示すように係合爪２９の斜辺２９ｂが折り返し部２２ｃの上面に当接する。そして、さらに下降させると、係合爪２９は図４（ｃ）、（ｄ）に示すように鋭角に折り返されてなる折り返し部２２ｃの上面の斜面に沿って内側に摺動する。すなわち、回動部材２８が回動することで、係合爪２９は折り返し部２２ｃの上面を内側に摺動する。そして、バスケット保持装置２５の下降がさらに進み、係合爪２９の摺動もさらに進むと、係合爪２９は折り返し部２２ｃの上面から滑り落ちる。すると、係合爪２９が折り返し部２２ｃの上面から脱落することにより、回動部材２８はその自重によって鉛直方向下方に向かうように回動する。これにより、係合爪２９は図４（ａ）に示すようにその上辺２９ａが折り返し部２２ｃの内縁に係合する。
【００４４】
したがって、このようにして図２に示すように係合爪２９を折り返し部２２ｃに係合させたら、その状態を保持しつつバランス駆動機１０によって巻き出している測長ワイヤ１１を再度巻き上げる。これにより、図５に示すように回収用バスケット２２を引き上げることができ、したがってこれに収容されたディスプレーサ１２を回収することができる。すなわち、吊り上げた回収用バスケット２２がキャリブレーションチャンバ１５内に達したら、バランス駆動機１０を停止させ、ゲート弁１７を閉操作する。そして、キャリブレーションチャンバ１５内のＬＮＧ４ａの気化ガスをパージしてから、メンテナンス用マンホール１６を開け、吊り上げた回収用バスケット２２内に収容されているディスプレーサ１２を回収する。
【００４５】
このようにしてディスプレーサ１２を回収したら、回収用バスケット２２を再度バスケット収納部２１内に収納するべく、バランス駆動機１０によって巻き上げた測長ワイヤ１１を再度巻き出すが、これに先立ち、バスケット保持装置２５のアーム２７から、保持具３１を取り外す。このように保持具３１を取り外しても、回収用バスケット２２の折り返し部２２ｃに対する係合爪２９の係合状態が保持される。したがって、アーム２７は回収用バスケット２２の重さによって各板体３０ａ、３０ｂ、３０ｃが一直線に伸びた状態に保持され、これにより、保持具３１が取り付けられていたときと同じ状態に保持される。
【００４６】
続いて、メンテナンス用マンホール１６を閉じ、ゲート弁１７を開操作する。そして、バランス駆動機１０によって巻き上げた測長ワイヤ１１を巻き出し、図６に示すようにバスケット保持装置２５に吊り下げた回収用バスケット２２をバスケット収納部２１内に収納する。そして、回収用バスケット２２がバスケット収納部２１の底部に到達した後、さらにバスケット保持装置２５を下降させる。
【００４７】
すると、回収用バスケット２２の折り返し部２２ｃに対する係合爪２９の係合が解除されるため、アーム２７は自重により、図３（ｃ）中の二点鎖線で示す状態から実線で示す状態に回動（下降）し、閉じた状態となる。したがって、このように係合爪２９の係合が解除されたのを確認したら、バランス駆動機１０によって測長ワイヤ１１を再度巻き上げ、その後、ゲート弁１７、メンテナンス用マンホール１６等を操作することにより、キャリブレーションチャンバ１５内においてバスケット保持装置２５を測長ワイヤ１１から取り外す。
【００４８】
その後、先に回収したディスプレーサ１２を測長ワイヤ１１に取り付け、その状態で再度バランス駆動機１０により測長ワイヤ１１を巻き出し、ディスプレーサ１２をＬＮＧ４ａの液面にまで下降させ、これを所定状態に保持する。これにより、ディスプレーサ式液面計Ｉの機能を回復することができる。
【００４９】
このようなディスプレーサ式液面計Ｉのディスプレーサ回収装置にあっては、測長ワイヤ１１が切れてディスプレーサ１２がガイドパイプ１３の底部にまで沈下した際、バランス駆動機１０を仮設ウインチへの交換することなく、その側長ワイヤ１１にバスケット保持装置２５を取り付け、このバスケット保持装置２５によって回収用バスケット２２を吊り上げることにより、ディスプレーサ１２を回収することができるようにしたので、従来のようにディスプレーサ１２を回収する際、一旦バランス駆動機１０を取り外し、その後仮設ウインチを取り付けるといった繁雑な作業が不要になり、作業性を格段に向上することができる。また、ディスプレーサ１２の回収用に、バランス駆動機１０とは別に仮設ウインチを備える必要が無くなり、したがって、仮設ウインチの保守管理が不要になってその分のコストを削減することができる。さらに、仮設ウインチに要する設備費も不要にして、ディスプレーサ回収装置全体の設備費を安価にすることができる。
【００５０】
なお、本発明は上記実施形態に限定されることなく、本発明の要旨を逸脱しない範囲で適宜変更可能である。例えば、ディスプレーサ１２、ガイドパイプ１３、バスケット収納部２１、回収用バスケット２２のサイズについては、図示したサイズに限定されることなく、実際の貯蔵タンク１のサイズや貯蔵する液体の性状に応じて適宜変更することができる。また、上記各部材の材質についても、貯蔵する液体の性状に応じて、ステンレス以外の材質を採用することもできる。
【００５１】
また、本発明のディスプレーサ回収装置は、ガイドパイプ１３を備えてなる形式のディスプレーサ式液面計をＬＮＧ４ａの貯蔵タンク１に設置する場合におけるディスプレーサ回収装置として用いるのに好適であるが、その他、いかなる液体を貯蔵する貯蔵タンク１に設置するディスプレーサ式液面計Ｉに適用してもよい。
【００５２】
また、回収用バスケット２２については、バスケット保持装置２５に保持した状態で吊り上げたり吊り下げたりした際、大きな抵抗を生じないようにＬＮＧ４ａ等の貯蔵液体を流動させることができ、かつ、測長ワイヤ１１が切れたときに回収用バスケット２２内へ沈下したディスプレーサ１２側に付着している測長ワイヤ１１の切れ端が容易に通過しない構造であれば、底２２ｂをパンチングメタル等のメッシュ以外の構造のものを採用してよく、さらには、側壁２２ａを底２２ｂと同様の構造にしてもよい。
【００５３】
また、バスケット保持装置２５に保持した状態で吊り上げたり、吊り下げたりした際、回収用バスケット２２がバランスをくずして傾いたり、振り子のように振れてしまったりするのを防止するため、回収用バスケット２２やバスケット保持装置２５にバランス用の錘を設けておいてもよい。
【符号の説明】
【００５４】
１…貯蔵タンク、１ａ…屋根部、４ａ…ＬＮＧ（貯蔵液体）、１０…バランス駆動機、１１…測長ワイヤ、１２…ディスプレーサ、１３…ガイドパイプ、１３ａ…屋根貫通部、１３ｂ…貯蔵タンク内に位置する部分、１６…メンテナンス用マンホール、１７…ゲート弁、１９…レデューサ、２１…バスケット収納部、２２…回収用バスケット、２５…バスケット保持装置、２６…取付具、２７…アーム、２８…回動部材、２９…係合爪、３１…保持具
【図１】
2011099743.tif 000003
【図２】
2011099743.tif 000004
【図３】
2011099743.tif 000005
【図４】
2011099743.tif 000006
【図５】
2011099743.tif 000007
【図６】
2011099743.tif 000008
【図７】
2011099743.tif 000009